(57)【要約】【課題】半田付けによらずにフィルタ素子と端子金具を接続する。【解決手段】フィルタ素子内蔵型コネクタＡは、コンデンサ本体２７から２本のリード線２８Ｆ，２８Ｒを導出したコンデンサ２６と、両端部が端子部３２Ｆ，３２Ｒとなっており、一方の端子部３２Ｒが一方のリード線２８Ｒに接続された抵抗３０と、コンデンサ用接続部２４が形成された端子金具２０Ｌと、抵抗用接続部２５が形成された端子金具２０Ｒと、コンデンサ用接続部２４に弾性接触することでリード線２８Ｆとコンデンサ用接続部２４を接続するコンデンサ用中継端子３３と、抵抗用接続部２５に弾性接触することで端子部３２Ｆと抵抗用接続部２５を接続する抵抗用中継端子３８とを備える。【選択図】図１
2016063365.tif 000002
【特許請求の範囲】
【請求項１】
フィルタ素子を収容可能なハウジングと、
前記ハウジングに取り付けられた端子金具と、
前記フィルタ素子を構成し、コンデンサ本体から２本のリード線を導出した形態のコンデンサと、
前記フィルタ素子を構成し、両端部が端子部となっており、一方の前記端子部が一方の前記リード線に接続された抵抗と、
前記端子金具に形成されたコンデンサ用接続部と、
前記端子金具に形成された抵抗用接続部と、
他方の前記リード線と前記コンデンサ用接続部のうち少なくとも一方に弾性接触することで、前記他方のリード線と前記コンデンサ用接続部を接続するコンデンサ用中継端子と、
他方の前記端子部と前記抵抗用接続部のうち少なくとも一方に弾性接触することで、前記他方の端子部と前記抵抗用接続部を接続する抵抗用中継端子とを備えていることを特徴とするフィルタ素子内蔵型コネクタ。
【請求項２】
前記ハウジングに前記コンデンサ本体を取り付けるためのコンデンサ用取付部を備え、
前記他方のリード線と前記コンデンサ用接続部の接続方向が、前記コンデンサ用取付部に対する前記コンデンサ本体の取付け方向とほぼ同じ方向とされていることを特徴とする請求項１記載のフィルタ素子内蔵型コネクタ。
【請求項３】
前記ハウジングに前記抵抗を取り付けるための抵抗用取付部を備え、
前記他方の端子部と前記抵抗用接続部の接続方向が、前記抵抗用取付部に対する前記抵抗の取付け方向とほぼ同じ方向とされていることを特徴とする請求項１又は請求項２記載のフィルタ素子内蔵型コネクタ。
【発明の詳細な説明】
【技術分野】
【０００１】
本発明は、フィルタ素子内蔵型コネクタに関するものである。
【背景技術】
【０００２】
特許文献１には、ハウジング内に収容されたコンデンサと、ハウジングに取り付けられた一対の端子金具とを備えたフィルタ素子内蔵型コネクタが開示されている。コンデンサはコンデンサ本体からリード線を導出した形態であり、リード線は端子金具に接続されている。
【先行技術文献】
【特許文献】
【０００３】
【特許文献１】特許第４５２４３１８号公報
【発明の概要】
【発明が解決しようとする課題】
【０００４】
この種のフィルタ素子内蔵型コネクタにおいて、コンデンサのリード線を端子金具に接続する手段としては、半田付けが行われる。しかし、半田付けによって接続する方法は、リード線の接続位置がコンデンサ本体に近い場合は、コンデンサ本体に対する熱の悪影響が懸念される。
【０００５】
また、フィルタ素子として、コンデンサに抵抗を直列接続したものがあるが、この種のフィルタ素子においても、抵抗と端子金具との接続手段として半田付けが行われる。この場合も、抵抗と端子金具の半田付け位置がコンデンサ本体に近いと、コンデンサ本体に対する熱の悪影響が懸念される。
【０００６】
コンデンサ本体に対する熱の悪影響を回避するためには、リード線を長くしたり抵抗をコンデンサから離したりする等して、半田付けの位置をコンデンサ本体から遠ざければよい。しかし、このようにすると、コネクタ全体の大型化を招くことになる。
【０００７】
本発明は上記のような事情に基づいて完成されたものであって、半田付けによらずにフィルタ素子と端子金具を接続することを目的とする。
【課題を解決するための手段】
【０００８】
本発明のフィルタ素子内蔵型コネクタは、
フィルタ素子を収容可能なハウジングと、
前記ハウジングに取り付けられた端子金具と、
前記フィルタ素子を構成し、コンデンサ本体から２本のリード線を導出した形態のコンデンサと、
前記フィルタ素子を構成し、両端部が端子部となっており、一方の前記端子部が一方の前記リード線に接続された抵抗と、
前記端子金具に形成されたコンデンサ用接続部と、
前記端子金具に形成された抵抗用接続部と、
他方の前記リード線と前記コンデンサ用接続部のうち少なくとも一方に弾性接触することで、前記他方のリード線と前記コンデンサ用接続部を接続するコンデンサ用中継端子と、
他方の前記端子部と前記抵抗用接続部のうち少なくとも一方に弾性接触することで、前記他方の端子部と前記抵抗用接続部を接続する抵抗用中継端子とを備えているところに特徴を有する。
【発明の効果】
【０００９】
他方のリード線とコンデンサ用接続部は、コンデンサ用中継端子を介して弾性的に接続できるので、半田付けが不要である。また、他方の端子部と抵抗用接続部は、抵抗用中継端子を介して弾性的に接続できるので、半田付けが不要である。
【図面の簡単な説明】
【００１０】
【図１】実施例１のフィルタ素子内蔵型コネクタの一部切欠平面図
【図２】コンデンサと抵抗を組み付ける前の状態をあらわすハウジングの平面図
【図３】図１のＸ−Ｘ線断面図
【図４】図１のＹ−Ｙ線断面図
【図５】実施例２のフィルタ素子内蔵型コネクタの一部切欠平面図
【図６】コンデンサと抵抗を組み付ける前の状態をあらわすハウジングの平面図
【発明を実施するための形態】
【００１１】
本発明のフィルタ素子内蔵型コネクタは、前記ハウジングに前記コンデンサ本体を取り付けるためのコンデンサ用取付部を備え、前記他方のリード線と前記コンデンサ用接続部の接続方向が、前記コンデンサ用取付部に対する前記コンデンサ本体の取付け方向とほぼ同じ方向とされていてもよい。
この構成によれば、コンデンサ本体をコンデンサ用取付部に取り付ける過程で、他方のリード線とコンデンサ用接続部を接続又は接近させることができるので、作業性が良い。
【００１２】
本発明のフィルタ素子内蔵型コネクタは、前記ハウジングに前記抵抗を取り付けるための抵抗用取付部を備え、前記他方の端子部と前記抵抗用接続部の接続方向が、前記抵抗用取付部に対する前記抵抗の取付け方向とほぼ同じ方向とされていてもよい。
この構成によれば、抵抗を抵抗用取付部に取り付ける過程で、他方の端子部と抵抗用接続部を接続又は接近させることができるので、作業性が良い。
【００１３】
＜実施例１＞
以下、本発明を具体化した実施例１を図１〜図４を参照して説明する。本実施例のフィルタ素子内蔵型コネクタＡは、合成樹脂製のハウジング１０と、一対の端子金具２０Ｌ，２０Ｒと、フィルタ素子として機能する１つのコンデンサ２６と、フィルタ素子として機能する１つの抵抗３０と、接続金具２９と、コンデンサ用中継端子３３と、抵抗用中継端子３８とを備えて構成されている。尚、以下の説明において、上下の方向については図３，４に表れる向きを基準とし、前後方向については図１〜３における左側を前側と定義する。
【００１４】
＜ハウジング１０＞
ハウジング１０は、ハウジング本体１１と、カバー１２とを組み付けて構成されている。ハウジング本体１１は、インサート成形により一対の端子金具２０Ｌ，２０Ｒと一体化されている。ハウジング本体１１は、上面が開放された箱部１３と、箱部１３を構成する前壁部１４の外周縁から前方へ角筒状に延出した形態のフード部１５とを一体に成形したものである。カバー１２は、箱部１３の上面の開口を塞ぐように組み付けられる。箱部１３内には、箱部１３を構成する左側壁部１６Ｌの内面から張り出した形態のコンデンサ用取付部１７と、箱部１３を構成する右側壁部１６Ｒの内面から張り出した形態の抵抗用取付部１８とが形成されている。取付部１７，１８の内部空間は、上面が開放された前後方向の細長い溝状をなしている。
【００１５】
＜端子金具２０Ｌ，２０Ｒ＞
一対の端子金具２０Ｌ，２０Ｒは、左右に間隔を空けて並列配置され、左右対称な形状をなしている。左側の端子金具２０Ｌは、端子本体部２１と、脚部２２と、載置部２３と、コンデンサ用接続部２４（請求項に記載の接続部）とから構成されている。端子本体部２１は、前後方向に細長く延びた板状をなしており、前壁部１４を前後方向に貫通した状態でインサート成形によりハウジング１０（箱部１３）に一体化されている。したがって、端子本体部２１の前端側領域は、フード部１５内に収容され、図示しないワイヤーハーネスを構成する相手側端子（図示省略）に接続されるようになっている。端子本体部２１の後端側領域は、箱部１３内に収容されている。
【００１６】
脚部２２は、箱部１３内に配置され、端子本体部２１の後端縁から下方へ直角に延出した形態である。脚部２２の下端部には、後方へ延出して箱部１３を構成する底壁部１９の上面に載置された載置部２３が形成されている。載置部２３が底壁部１９の上面に載置されることにより、端子金具２０Ｌ，２０Ｒの後端側領域と脚部２２は、下方へ変位しないように支持されている。
【００１７】
載置部２３の後端縁には、コンデンサ用接続部２４が形成されている。コンデンサ用接続部２４は、載置部２３に対し直角に上方へ延出した細長い形状をなしている。コンデンサ用接続部２４の下端部は、載置部２３と同様、底壁部１９の上面に載置されている。コンデンサ用接続部２４は、コンデンサ用中継端子３３を介してコンデンサ２６のリード線２８Ｆ（請求項に記載の他方のリード線）に接続されるようになっている。このコンデンサ用接続部２４に対するコンデンサ用中継端子３３の嵌合方向は、鉛直下向き（つまり、底壁部１９に対して直角な方向）である。
【００１８】
右側の端子金具２０Ｒは、端子本体部２１と、脚部２２と、載置部２３と、抵抗用接続部２５（請求項に記載の接続部）とから構成されている。右側の端子本体部２１、脚部２２及び載置部２３は、左側の端子本体部２１、脚部２２及び載置部２３と同一形態であるので、同一符号を付し、説明は省略する。抵抗用接続部２５は、コンデンサ用接続部２４と左右対称な形状であるため、説明は省略する。抵抗用接続部２５は、抵抗用中継端子３８を介して抵抗３０の端子部３２Ｆ（請求項に記載の他方の端子部）に接続されるようになっている。この抵抗用接続部２５に対する抵抗用中継端子３８の嵌合方向は、鉛直下向き（つまり、底壁部１９に対して直角な方向）である。
【００１９】
＜コンデンサ２６＞
コンデンサ２６は、コンデンサ本体２７と、コンデンサ本体２７から延出する前後一対のリード線２８Ｆ，２８Ｒとを備えて構成されている。コンデンサ本体２７は、側面視が横長の略方形をなし、幅寸法は、前後寸法及び上下寸法に比べて小さい。コンデンサ本体２７は、コンデンサ用取付部１７に対し上方から落とし込むように取り付けられ、下端側領域がコンデンサ用取付部１７内に収容されるようになっている。コンデンサ用取付部１７に対するコンデンサ本体２７の取付け方向は、コンデンサ用接続部２４に対するコンデンサ用中継端子３３の嵌合方向と同じく、鉛直方向下向きとなっている。
【００２０】
一対のリード線２８Ｆ，２８Ｒは、コンデンサ本体２７の上面における前端部と後端部から上向きに導出されている。上向きに導出された前側のリード線２８Ｆは、前方へ転向し、更に下向きに転向するように屈曲されている。上向きに導出された後側のリード線２８Ｒ（請求項に記載の一方のリード線）は、後方へ転向し、更に右向きに転向するように屈曲されている。前側のリード線２８Ｆの下向きの先端部には、コンデンサ用中継端子３３が固着されている。後側のリード線２８Ｒの右向きの先端部には、接続金具２９がカシメ付け（圧着等）により固着されている。
【００２１】
＜抵抗３０＞
抵抗３０は、抵抗本体３１と、抵抗本体３１から延出する前後一対の細長い端子部３２Ｆ，３２Ｒとを備えて構成されている。抵抗本体３１は、側面視が横長の略方形をなし、幅寸法は、前後寸法及び上下寸法に比べて小さい。抵抗本体３１は、抵抗用取付部１８に対し上方から落とし込むように取り付けられ、下端側領域が抵抗用取付部１８内に収容されるようになっている。抵抗用取付部１８に対する抵抗本体３１の取付け方向は、抵抗用接続部２５に対する抵抗用中継端子３８の嵌合方向と同じく、鉛直方向下向きとなっている。
【００２２】
一対の端子部３２Ｆ，３２Ｒは、コンデンサ本体２７の上面における前端部と後端部から上向きに導出されている。上向きに導出された前側の端子部３２Ｆは、前方へ転向し、更に下向きに転向するように屈曲されている。上向きに導出された後側の端子部３２Ｒ（請求項に記載の一方の端子部）は、後方へ転向し、更に左向きに転向するように屈曲されている。前側の端子部３２Ｆの下向きの先端部には、抵抗用中継端子３８が固着されている。後側の端子部３２Ｒの左向きの先端部には、接続金具２９がカシメ付け（圧着等）により固着されている。この接続金具２９により、後側のリード線２８Ｒと後側の端子部３２Ｒが導通可能に固着されている。
【００２３】
＜コンデンサ用中継端子３３及び抵抗用中継端子３８＞
コンデンサ用中継端子３３は、所定形状に打ち抜いた金属板材に曲げ加工等を施して成型されたものである。図４に示すように、コンデンサ用中継端子３３は、角筒部３４と圧着部３５を上下方向に直列状に並べて一体化したものである。角筒部３４は、長さ方向両端面が開放された貫通形態であり、角筒部３４内には弾性接触片３６が収容されている。弾性接触片３６は、角筒部３４を構成する基板部３７の先端縁（圧着部３５とは反対側の端縁）から延出した板状部を、角筒部３４内へ折り返して山形に屈曲変形させて形成されている。
【００２４】
圧着部３５は、オープンバレル状をなしている。圧着部３５は、前側のリード線２８Ｆの先端部に対し、圧着（カシメ付け）により導通可能に、且つ相対変位を規制された状態に固着されている。圧着部３５に圧着されたリード線２８Ｆの軸線方向は、角筒部３４の貫通方向と平行である。圧着部３５に圧着されたリード線２８Ｆの先端部は、下向きとなっているので、角筒部３４の貫通方向は上下方向である。
【００２５】
抵抗用中継端子３８は、構造、形状、寸法がコンデンサ用中継端子３３と同一の部品であり、角筒部３４と圧着部３５と弾性接触片３６とを有している。したがって、便宜上、抵抗用中継端子３８の形態については説明を省略する。抵抗用中継端子３８の圧着部３５は、前側の端子部３２Ｆの先端部に対し、圧着（カシメ付け）により導通可能に、且つ相対変位を規制された状態に固着されている。圧着部３５に圧着された端子部３２Ｆの軸線方向と、角筒部３４の貫通方向と平行である。圧着部３５に圧着された端子部３２Ｆの先端部は、下向きとなっているので、角筒部３４の貫通方向は上下方向である。
【００２６】
コンデンサ用中継端子３３の角筒部３４内には、その下方からコンデンサ用接続部２４が挿入されるようになっている。抵抗用中継端子３８の角筒部３４内には、その下方から抵抗用接続部２５が挿入されるようになっている。コンデンサ用取付部１７に対するコンデンサ本体２７の取付け方向と、抵抗用取付部１８に対する抵抗本体３１の取付け方向と、コンデンサ用接続部２４に対するコンデンサ用中継端子３３の角筒部３４の接続方向と、抵抗用接続部２５に対する抵抗用中継端子３８の角筒部３４の接続方向は、全て下向き、つまり全て同じ向きである。
【００２７】
＜実施例１の作用及び効果＞
フィルタ素子内蔵型コネクタＡの製造工程を説明する。まず、インサート成形により、ハウジング本体１１を成形すると同時に、ハウジング本体１１と一対の端子金具２０Ｌ，２０Ｒを一体化させる。一方、コンデンサ２６と抵抗３０に関しては、後側のリード線２８Ｒと後側の端子部３２Ｒを、接続金具２９を介して導通可能に固着しておく。また、前側のリード線２８Ｆにはコンデンサ用中継端子３３を圧着し、前側の端子部３２Ｆに抵抗用中継端子３８を圧着しておく。
【００２８】
そして、コンデンサ本体２７をコンデンサ用取付部１７に対し上から落とし込むようにして取り付けると同時に、抵抗本体３１を抵抗用取付部１８に対し上から落とし込むようにして取り付ける。この両取付部１７，１８にコンデンサ本体２７と抵抗本体３１を取り付ける工程では、前側のリード線２８Ｆに固着されているコンデンサ用中継端子３３の角筒部３４を、コンデンサ用接続部２４に対して上から嵌合するように接続する作業と、前側の端子部３２Ｆに固着されている抵抗用中継端子３８の角筒部３４を、抵抗用接続部２５に対して上から嵌合するように接続する作業を、同時進行させる。
【００２９】
コンデンサ用中継端子３３の角筒部３４内に嵌入されたコンデンサ用接続部２４には、弾性接触片３６が弾性撓みした状態で接触し、これにより、前側のリード線２８Ｆと左側の端子金具２０Ｌとが導通可能に接続される。同様に、抵抗用中継端子３８の角筒部３４内に嵌入された抵抗用接続部２５にも、弾性接触片３６が弾性撓みした状態で接触し、これにより、前側の端子部３２Ｆと右側の端子金具２０Ｒとが導通可能に接続される。これにより、一対の端子金具２０Ｌ，２０Ｒにコンデンサ２６と抵抗３０を直接に接続したフィルタ回路が構成され、両端子金具２０Ｌ，２０Ｒに接続されたワイヤーハーネスのノイズがコンデンサ２６と抵抗３０によって効果的に除去される。
【００３０】
本実施例１のフィルタ素子内蔵型コネクタＡは、フィルタ素子を収容可能なハウジング１０と、ハウジング１０に取り付けられた端子金具２０Ｌ，２０Ｒと、フィルタ素子を構成し、コンデンサ本体２７から２本のリード線２８Ｆ，２８Ｒを導出した形態のコンデンサ２６と、フィルタ素子を構成し、両端部が端子部３２Ｆ，３２Ｒとなっている抵抗３０とを備えている。後側のリード線２８Ｒと後側の端子部３２Ｒが接続金具２９を介して接続され、左側の端子金具２０Ｌにはコンデンサ用接続部２４が形成され、右側の端子金具２０Ｒには抵抗用接続部２５が形成されている。
【００３１】
前側のリード線２８Ｆにコンデンサ用中継端子３３を固着し、コンデンサ用中継端子３３をコンデンサ用接続部２４に弾性接触させることにより、前側のリード線２８Ｆとコンデンサ用接続部２４とが接続される。リード線２８Ｆとコンデンサ用接続部２４は、コンデンサ用中継端子３３を介して弾性的に接続できるので、半田付けが不要である。前側の端子部３２Ｆに抵抗用中継端子３８を固着し、抵抗用中継端子３８を抵抗用接続部２５に弾性接触させることにより、前側の端子部３２Ｆと抵抗用接続部２５とが接続される。端子部３２Ｆと抵抗用接続部２５は、抵抗用中継端子３８を介して弾性的に接続できるので、半田付けが不要である。
【００３２】
また、ハウジング１０には、コンデンサ本体２７を取り付けるためのコンデンサ用取付部１７が設けられ、前側のリード線２８Ｆとコンデンサ用接続部２４との接続方向が、コンデンサ用取付部１７に対するコンデンサ本体２７の取付け方向とほぼ同じ方向（ほぼ平行）とされている。この構成によれば、コンデンサ本体２７をコンデンサ用取付部１７に取り付ける過程で、前側のリード線２８Ｆとコンデンサ用接続部２４を接続又は接近させることができるので、作業性が良い。
【００３３】
また、ハウジング１０には、抵抗本体３１を取り付けるための抵抗用取付部１８が設けられ、前側の端子部３２Ｆと抵抗用接続部２５の接続方向が、抵抗用取付部１８に対する抵抗本体３１の取付け方向とほぼ同じ方向（ほぼ平行）とされている。この構成によれば、抵抗３０を抵抗用取付部１８に取り付ける過程で、前側の端子部３２Ｆと抵抗用接続部２５を接続又は接近させることができるので、作業性が良い。
【００３４】
＜実施例２＞
以下、本発明を具体化した実施例１を図５〜図６を参照して説明する。本実施例のフィルタ素子内蔵型コネクタＢは、フィルタ素子によって三相三角結線回路を構成したものである。本実施例２の作用効果は、実施例１と同じであるため、説明は省略する。
【００３５】
フィルタ素子内蔵型コネクタＢは、合成樹脂製のハウジング４０と、３つの端子金具５０と、フィルタ素子として機能する３つのコンデンサ６０と、フィルタ素子として機能する３つの抵抗６３とを備えている。そして、３つのコンデンサ用中継端子３３と、３つの抵抗用中継端子３８と、３つの接続金具５８とを備えて構成されている。尚、以下の説明において、前後方向については、図５，６における左側を前側と定義する。
【００３６】
＜ハウジング４０＞
ハウジング４０は、ハウジング本体４１と、カバー（図示省略）とを組み付けて構成されている。ハウジング本体４１は、インサート成形により３つの端子金具５０と一体化されている。ハウジング本体４１は、上面が開放された箱部４２と、箱部４２を構成する前壁部４３の外周縁から前方へ角筒状に延出した形態のフード部４４とを一体に成形したものである。箱部４２の上面の開口は、カバーで塞がれるようになっている。箱部４２内には、左端から右端に向かって順に、コンデンサ用取付部４５、コンデンサ用取付部４５、抵抗用取付部４６、抵抗用取付部４６、コンデンサ用取付部４５、抵抗用取付部４６が並列するように形成されている。これら６つの取付部４５，４６の内部空間は、上面が開放された前後方向の細長い溝状をなしている。
【００３７】
＜端子金具５０＞
３つの端子金具５０は、同一形状の部品であり、左右に間隔を空けて並列配置されている。各端子金具５０は、夫々、端子本体部５１と、脚部５２と、載置部５３と、コンデンサ用接続部５４（請求項に記載の端子側の接続部）と、抵抗用接続部５５（請求項に記載の接続部）から構成されている。
【００３８】
端子本体部５１は、前後方向に細長く延びた板状をなしており、前壁部４３を前後方向に貫通した状態でインサート成形によりハウジング４０（箱部４２）に一体化されている。したがって、端子本体部５１の前端側領域は、フード部４４内に収容され、図示しないワイヤーハーネスを構成する相手側端子（図示省略）に接続されるようになっている。端子本体部５１の後端側領域は、箱部４２内に収容されている。
【００３９】
脚部５２は、箱部４２内に配置され、端子本体部５１の後端縁から下方へ直角に延出した形態である。脚部５２の下端部には、後方へ延出して箱部４２を構成する底壁部４７の上面に載置された載置部５３が形成されている。載置部５３が底壁部４７の上面に載置されることにより、端子金具５０の後端側領域と脚部５２は、下方へ変位しないように支持されている。
【００４０】
載置部５３の後端縁には、コンデンサ用接続部５４と抵抗用接続部５５が左右に間隔を空けて並列するように形成されている。コンデンサ用接続部５４と抵抗用接続部５５は、同一形状である。即ち、両接続部５４，５５は、載置部５３に対し直角に上方へ延出した細長い形状をなしている。両接続部５４，５５の下端部は、載置部５３と同様、底壁部４７の上面に載置されている。コンデンサ用接続部５４は、コンデンサ用中継端子３３を介してコンデンサ６０のリード線６２Ｆ（請求項に記載の他方のリード線）に接続されるようになっている。このコンデンサ用接続部５４に対するコンデンサ用中継端子３３の嵌合方向は、鉛直下向き（つまり、底壁部４７に対して直角な方向）である。
【００４１】
＜コンデンサ６０＞
コンデンサ６０は、コンデンサ本体６１と、コンデンサ本体６１から延出する前後一対のリード線６２Ｆ，６２Ｒとを備えて構成されている。コンデンサ本体６１は、側面視が横長の略方形をなし、幅寸法は、前後寸法及び上下寸法に比べて小さい。コンデンサ本体６１は、コンデンサ用取付部４５に対し上方から落とし込むように取り付けられ、下端側領域がコンデンサ用取付部４５内に収容されるようになっている。コンデンサ用取付部４５に対するコンデンサ本体６１の取付け方向は、コンデンサ用接続部５４に対するコンデンサ用中継端子３３の嵌合方向と同じく、鉛直方向下向きとなっている。
【００４２】
一対のリード線６２Ｆ，６２Ｒは、コンデンサ本体６１の上面における前端部と後端部から上向きに導出されている。上向きに導出された前側のリード線６２Ｆは、前方へ転向し、更に下向きに転向するように屈曲されている。上向きに導出された後側のリード線６２Ｒ（請求項に記載の一方のリード線）は、後方へ転向し、更に右向き又は左向きに転向するように屈曲されている。前側のリード線６２Ｆの下向きの先端部には、コンデンサ用中継端子３３が固着されている。後側のリード線６２Ｒの先端部には、接続金具５８がカシメ付け（圧着等）により固着されている。
【００４３】
＜抵抗６３＞
抵抗６３は、抵抗本体６４と、抵抗本体６４から延出する前後一対の細長い端子部６５Ｆ，６５Ｒとを備えて構成されている。抵抗本体６４は、側面視が横長の略方形をなし、幅寸法は、前後寸法及び上下寸法に比べて小さい。抵抗本体６４は、抵抗用取付部４６に対し上方から落とし込むように取り付けられ、下端側領域が抵抗用取付部４６内に収容されるようになっている。抵抗用取付部４６に対する抵抗本体６４の取付け方向は、抵抗用接続部５５に対する抵抗用中継端子３８の嵌合方向と同じく、鉛直方向下向きとなっている。
【００４４】
一対の端子部６５Ｆ，６５Ｒは、コンデンサ本体６１の上面における前端部と後端部から上向きに導出されている。上向きに導出された前側の端子部６５Ｆ（請求項に記載の他方の端子部）は、前方へ転向し、更に下向きに転向するように屈曲されている。上向きに導出された後側の端子部６５Ｒ（請求項に記載の一方の端子部）は、後方へ転向し、更に左向き又は右向きに転向するように屈曲されている。前側の端子部６５Ｆの下向きの先端部には、抵抗用中継端子３８が固着されている。後側の端子部６５Ｒの先端部には、接続金具５８がカシメ付け（圧着等）により固着されている。この接続金具５８により、後側のリード線６２Ｒと後側の端子部６５Ｒとが導通可能に固着されている。
【００４５】
＜コンデンサ用中継端子３３及び抵抗用中継端子３８＞
本実施例２のコンデンサ用中継端子３３は、実施例１のコンデンサ用中継端子３３と同一部品であるから、説明は省略し、同一符号を付す。本実施例２の抵抗用中継端子３８は、実施例１の抵抗用中継端子３８と同一部品であるから、説明は省略し、同一符号を付す。
【００４６】
＜実施例２の作用及び効果＞
フィルタ素子内蔵型コネクタＢの製造工程を説明する。まず、インサート成形により、ハウジング本体４１を成形すると同時に、ハウジング本体４１と３つの端子金具５０を一体化させる。一方、コンデンサ６０と抵抗６３に関しては、１つのコンデンサ６０と１つの抵抗６３を直列接続することによって構成されるフィルタユニットを、３組用意しておく。１つのフィルタユニットは、コンデンサ６０の後側のリード線６２Ｒと抵抗６３の後側の端子部６５Ｒを接続金具５８で導通可能に固着して構成されている。このとき、コンデンサ本体６１と抵抗本体６４の位置関係は、取付け対象となるコンデンサ用取付部４５と抵抗用取付部４６との位置関係と対応するように設定しておく。また、前側のリード線６２Ｆにはコンデンサ用中継端子３３を圧着し、前側の端子部６５Ｆに抵抗用中継端子３８を圧着しておく。
【００４７】
各フィルタユニットは、コンデンサ本体６１をコンデンサ用取付部４５に対し上から落とし込むようにして取り付けると同時に、抵抗本体６４を抵抗用取付部４６に対し上から落とし込むようにして取り付けるようにして、ハウジング４０に取り付けられる。両取付部４５，４６への取付け工程では、前側のリード線６２Ｆに固着されているコンデンサ用中継端子３３の角筒部３４を、コンデンサ用接続部５４に対して上から嵌合するように接続する作業と、前側の端子部６５Ｆに固着されている抵抗用中継端子３８の角筒部３４を、抵抗用接続部５５に対して上から嵌合するように接続する作業を、同時進行させる。３つのフィルタユニットの取付けが完了すると、三相三角結線回路が構成される。
【００４８】
＜他の実施例＞
本発明は上記記述及び図面によって説明した実施例に限定されるものではなく、例えば次のような実施例も本発明の技術的範囲に含まれる。
（１）上記実施例１，２では、コンデンサ用接続部を端子金具に一体に形成したが、コンデンサ用接続部は、端子金具とは別体の部品を端子金具に溶接等により導通可能に取り付けたものであってもよい。
（２）上記実施例１，２では、抵抗用接続部を端子金具に一体に形成したが、抵抗用接続部は、端子金具とは別体の部品を端子金具に溶接等により導通可能に取り付けたものであってもよい。
（３）上記実施例１，２では、コンデンサ用取付部に対するコンデンサ本体の取付け方向と、コンデンサ用接続部に対するコンデンサ用中継端子の嵌合方向が、ほぼ同じ方向であったが、この２つの方向は異なる方向であってもよい。
（４）上記実施例１，２では、抵抗用取付部に対する抵抗の取付け方向と、抵抗用接続部に対する抵抗用中継端子の嵌合方向が、ほぼ同じ方向であったが、この２つの方向は異なる方向であってもよい。
（５）上記実施例１，２では、端子金具をインサート成形によってハウジングと一体化させたが、端子金具は成型済みのハウジングに組み付けてもよい。
（６）上記実施例１，２では、コンデンサ用中継端子が、リード線に固着されていて、コンデンサ用接続部に嵌合される形態であるが、コンデンサ用中継端子は、コンデンサ用接続部に固着されていて、リード線に嵌合される形態でもよく、リード線とコンデンサ用接続部の双方に嵌合される形態でもよい。
（７）上記実施例１，２では、抵抗用中継端子が、抵抗の端子部に固着されていて、抵抗用接続部に嵌合される形態であるが、抵抗用中継端子は、抵抗用接続部に固着されていて、抵抗の端子部に嵌合される形態でもよく、抵抗用接続部と端子部の双方に嵌合される形態でもよい。
（８）上記実施例１，２では、リード線と抵抗の端子部を、端子金具の接続部に取り付ける前に接続金具で固着しておいたが、リード線と端子部は、端子金具に取り付ける工程と同時に接続してもよく、端子金具に取り付ける工程の後に接続してもよい。
【符号の説明】
【００４９】
Ａ…フィルタ素子内蔵型コネクタ
１０…ハウジング
１７…コンデンサ用取付部
１８…抵抗用取付部
２０Ｌ，２０Ｒ…端子金具
２４…コンデンサ用接続部
２５…抵抗用接続部
２６…コンデンサ（フィルタ素子）
２７…コンデンサ本体
２８Ｆ…リード線（他方のリード線）
２８Ｒ…リード線（一方のリード線）
３０…抵抗（フィルタ素子）
３２Ｆ…端子部（他方の端子部）
３２Ｒ…端子部（一方の端子部）
３３…コンデンサ用中継端子
３８…抵抗用中継端子
Ｂ…フィルタ素子内蔵型コネクタ
４０…ハウジング
４５…コンデンサ用取付部
４６…抵抗用取付部
５０…端子金具
５４…コンデンサ用接続部
５５…抵抗用接続部
６０…コンデンサ（フィルタ素子）
６１…コンデンサ本体
６２Ｆ…リード線（他方のリード線）
６２Ｒ…リード線（一方のリード線）
６３…抵抗（フィルタ素子）
６５Ｆ…端子部（他方の端子部）
６５Ｒ…端子部（一方の端子部）
【図１】
2016063365.tif 000003
【図２】
2016063365.tif 000004
【図３】
2016063365.tif 000005
【図４】
2016063365.tif 000006
【図５】
2016063365.tif 000007
【図６】
2016063365.tif 000008